(57)【要約】【課題】操作負担が少なく、また、ロック機構から離れた位置に摘み部材などを設ける必要のない、新規な技術について提案する。【解決手段】シャッターカーテン４の幅木４ａに対して上下移動可能に設けられるロック装置２０と、シャッター装置１の枠体（下枠９）に設けられ、前記ロック装置２０と係合するロック受け３０と、を有するロック機構５０であって、前記ロック装置２０と前記ロック受け３０の係合によりシャッターカーテン４の施錠がなされるとともに、前記施錠がされている状態で、前記ロック装置２０を下方へと移動させる操作をすることで、前記ロック装置２０と前記ロック受け３０の係合が解除され、シャッターカーテン４の施錠が解除される、シャッター装置のロック機構５０とする。【選択図】図７
2010144354.tif 000002
【特許請求の範囲】
【請求項１】
シャッターカーテンの幅木に対して上下移動可能に設けられるロック装置と、
シャッター装置の枠体に設けられ、前記ロック装置と係合するロック受けと、
を有するロック機構であって、
前記ロック装置と前記ロック受けの係合によりシャッターカーテンの施錠がなされるとともに、
前記施錠がされている状態で、前記ロック装置を下方へと移動させる操作をすることで、前記ロック装置と前記ロック受けの係合が解除され、シャッターカーテンの施錠が解除される、シャッター装置のロック機構。
【請求項２】
前記ロック装置は、前記幅木に対して上下移動可能な操作用部材に設けられ、
前記操作用部材は、シャッターカーテンの幅方向に長い長尺の部材にて構成される、
ことを特徴とする、請求項１に記載のシャッター装置のロック機構。
【請求項３】
シャッターカーテンの幅木に対して上下移動可能に設けられるロック受けと、
シャッター装置の枠体に設けられ、前記ロック装置と係合するロック装置と、
を有するロック機構であって、
前記ロック装置と前記ロック受けの係合によりシャッターカーテンの施錠がなされるとともに、
前記施錠がされている状態で、前記ロック受けを下方へと移動させる操作をすることで、前記ロック装置と前記ロック受けの係合が解除され、シャッターカーテンの施錠が解除される、シャッター装置のロック機構。
【請求項４】
前記ロック受けは、前記幅木に対して上下移動可能な操作用部材に設けられ、
前記操作用部材は、シャッターカーテンの幅方向に長い長尺の部材にて構成される、
ことを特徴とする、請求項３に記載のシャッター装置のロック機構。
【請求項５】
前記ロック装置は、ワンタッチラッチにて構成される、
ことを特徴とする、請求項１乃至請求項４のいずれか一項に記載のシャッター装置のロック機構。
【請求項６】
請求項１乃至請求項５のいずれか一項に記載のロック機構を備えるシャッター装置。
【請求項７】
前記シャッターカーテンを巻き取るための巻取シャフトに対し、弾性部材にて前記シャッターカーテンを巻き取る方向の回転付勢力が付与される構成とし、
前記ロック機構による施錠が解除された際に、前記回転付勢力によって、前記シャッターカーテンが巻上げられる構成とする、
ことを特徴とする、請求項６に記載のシャッター装置。
【発明の詳細な説明】
【技術分野】
【０００１】
本発明は、手動操作されるシャッターカーテンを備えるシャッター装置に関するものであり、より詳しくは、シャッターカーテンの閉鎖状態を維持するためのロック機構に関するものである。
【背景技術】
【０００２】
特許文献１では、シャッターカーテン（シャッター板）の幅木部（端板部）にロック機構を配置する構成が開示されている。このロック機構は、防犯上の観点から、室外側での幅木部（端板部）の持ち上げを規制するものである。
【０００３】
また、特許文献１の構成では、幅木部（端板部）の裏側に回動可能な手掛けレバー部材が設けられ、室内側にてシャッターカーテンの巻上げを行う場合には、手掛けレバー部材が押上げられるようにして操作され、これによって解除部材が下方に押下げられることで、解錠操作が可能となる構成となっている。
【０００４】
また、この特許文献１の構成によれば、室内側にて手掛けレバー部材を押上げることで解錠操作ができるとともに、手掛けレバー部材をそのまま押上げることでシャッターカーテンを巻上げることができる。また、紐部材を介して手掛けレバー部材に接続される摘み部材を操作する場合には、この摘み部材を引き上げることで、手掛けレバー部材を回動させる解錠操作ができるとともに、そのまま掴み部材を引き上げることで、シャッターカーテンを巻上げることができる。
【特許文献１】特開２００７−２１７９８５号公報
【発明の開示】
【発明が解決しようとする課題】
【０００５】
しかし、掃き出し窓の設置箇所に対してシャッター装置が設置される場合には、手掛けレバー部材が床面に近い位置に配置されることになるため、手掛けレバー部材を直接操作する場合には、かがむ、若しくは、しゃがむなどの必要が生じることとなり、操作に負担が生じることになる。
【０００６】
また、摘み部材を利用して操作する場合には、このような負担の軽減を図ることが可能となるが、シャッターカーテンを閉じた状態では、摘み部材や紐部材が室内側から見えてしまうことになり、また、シャッターカーテンを全開状態とした場合には、上から紐部材が垂れ下がって見えてしまうことから、意匠性において課題が残ることとなる。
【０００７】
また、摘み部材を磁石によってシャッターカーテンに貼り付けておくことも可能であるが、衝撃などによって摘み部材が脱落してしまうと、シャッターカーテンを開く際に摘み部材を探さなければならなくなってしまう。
【０００８】
さらに、掃き出し窓ではなく、床から一定の高さに配置される窓の設置箇所にシャッター装置が設置される場合では、かがむなどの必要は無くなるが、手掛けレバー部材の下から手を挿し込む必要があるため、指先に神経を集中させて手掛けレバー部材の下方の空間（隙間）の位置を探るなどの負担を与えてしまうことになる。
【０００９】
そこで、本発明は、以上の問題点に鑑み、操作負担が少なく、また、ロック機構から離れた位置に摘み部材などを設ける必要のない、新規な技術について提案するものである。
【課題を解決するための手段】
【００１０】
本発明の解決しようとする課題は以上の如くであり、次にこの課題を解決するための手段を説明する。
【００１１】
即ち、請求項１に記載のごとく、
シャッターカーテンの幅木に対して上下移動可能に設けられるロック装置と、
シャッター装置の枠体に設けられ、前記ロック装置と係合するロック受けと、
を有するロック機構であって、
前記ロック装置と前記ロック受けの係合によりシャッターカーテンの施錠がなされるとともに、
前記施錠がされている状態で、前記ロック装置を下方へと移動させる操作をすることで、前記ロック装置と前記ロック受けの係合が解除され、シャッターカーテンの施錠が解除される、シャッター装置のロック機構とするものである。
【００１２】
また、請求項２に記載のごとく、
前記ロック装置は、前記幅木に対して上下移動可能な操作用部材に設けられ、
前記操作用部材は、シャッターカーテンの幅方向に長い長尺の部材にて構成されるものである。
【００１３】
また、請求項３に記載のごとく、
シャッターカーテンの幅木に対して上下移動可能に設けられるロック受けと、
シャッター装置の枠体に設けられ、前記ロック装置と係合するロック装置と、
を有するロック機構であって、
前記ロック装置と前記ロック受けの係合によりシャッターカーテンの施錠がなされるとともに、
前記施錠がされている状態で、前記ロック受けを下方へと移動させる操作をすることで、前記ロック装置と前記ロック受けの係合が解除され、シャッターカーテンの施錠が解除される、シャッター装置のロック機構とするものである。
【００１４】
また、請求項４に記載のごとく、
前記ロック受けは、前記幅木に対して上下移動可能な操作用部材に設けられ、
前記操作用部材は、シャッターカーテンの幅方向に長い長尺の部材にて構成されるものである。
【００１５】
また、請求項５に記載のごとく、
前記ロック装置は、ワンタッチラッチにて構成されることとするものである。
【００１６】
また、請求項６に記載のごとく、
請求項１乃至請求項５のいずれか一項に記載の前記ロック機構を備えるシャッター装置とするものである。
【００１７】
また、請求項７に記載のごとく、
前記シャッターカーテンを巻き取るための巻取シャフトに対し、弾性部材にて前記シャッターカーテンを巻き取る方向の回転付勢力が付与される構成とし、
前記ロック機構による施錠が解除された際に、前記回転付勢力によって、前記シャッターカーテンが巻上げられる構成とする、シャッター装置とするものである。
【発明の効果】
【００１８】
本発明の効果として、以下に示すような効果を奏する。
【００１９】
即ち、請求項１に記載の発明においては、
ロック装置の解錠は、前記ロック装置を下方へと移動させるだけで行うことが可能となり、優れた操作性を実現することができる。
【００２０】
また、請求項２に記載の発明においては、
シャッターカーテンの幅方向の広い範囲において、操作用部材を押下げることで、ロック装置の解錠が可能となり、優れた操作性を実現することができる。
【００２１】
また、請求項３に記載の発明においては、
ロック装置の解錠は、前記ロック受けを下方へと移動させるだけで行うことが可能となり、優れた操作性を実現することができる。
【００２２】
また、請求項４に記載の発明においては、
シャッターカーテンの幅方向の広い範囲において、操作用部材を押下げることで、ロック装置の解錠が可能となり、優れた操作性を実現することができる。
【００２３】
また、請求項５に記載の発明においては、
ロック装置（操作用部材）を一度押下げて離すワンプッシュ操作によって、ロック装置の解錠を行うことができ、優れた操作性を実現することができる。
【００２４】
また、請求項６に記載の発明においては、
ロック装置の解錠について、優れた操作性を有するシャッター装置を実現することができる。
【００２５】
また、請求項７に記載の発明においては、
施錠が解除された際には、弾性部材の回転付勢力によって巻取シャフトが回転されるため、シャッターカーテンの巻上げを自動的に実施することができる。
【発明を実施するための最良の形態】
【００２６】
次に、発明の実施の形態について説明する。
図１は、実施例１にかかるロック機構５０を備えるシャッター装置１について説明する図である。この図１は、室外側から臨んだ際のシャッター装置１の構成について示しており、以下の図面を用いた説明においては、紙面上側を上、紙面下側を下、紙面左側を左、紙面右側を右として説明することとする。また、本明細書中において、或る対象物についての室内側とは、その或る対象物よりも建物の室内に近い側を意味し、或る対象物についての室外側とは、その或る対象物よりも建物の室内から遠い側を意味するものとする。
【００２７】
図１に示すごとく、シャッター装置１の上部には、収容ケース２が配置されている。この収容ケース２内に、シャッターカーテン４を巻取るための巻取シャフト３が備えられることで、シャッターカーテン４の巻取装置５が構成されている。
【００２８】
また、図１に示すごとく、シャッターカーテン４は、長尺の複数のスラット４ｂ・４ｂを上下方向に連結することで構成されている。また、シャッターカーテン４の上部端４ｃは巻取シャフト３に連結される。また、シャッターカーテン４の最下部には、幅木４ａが設けられる。
【００２９】
また、図１に示すごとく、シャッター装置１の左右両側には、ガイドレール８・８が上下方向に配置されており、シャッターカーテン４が巻上げ、巻下げされる際には、ガイドレール８・８によってスラット４ｂ・４ｂや幅木４ａの左右端部がガイドされるようになっている。また、シャッター装置１の下部には、下枠９が設けられており、図２に示すごとく、この下枠９の位置まで幅木４ａが下降したときに、シャッターカーテン４が全閉状態となり、シャッターカーテン４の室内側にあるサッシ１１・１２が遮蔽されるようになっている。
【００３０】
また、図１に示すごとく、収容ケース２の支持壁部２ａ・２ｂには、支持シャフト６・７が水平方向に突設されている。この支持シャフト６・７に対し筒状のドラム８ａ・８ｂ・８ｃがそれぞれ回転自在に支持されている。そして、このドラム８ａ・８ｂ・８ｃに対し、巻取シャフト３が固定され、これにより、巻取シャフト３がドラム８ａ・８ｂ・８ｃを介して支持シャフト６・７に回転自在に支持されるようになっている。この構成で、巻取シャフト３が回転すると、シャッターカーテン４が巻取シャフト３に対して巻上げられる、若しくは、巻取シャフト３から巻下げられるようになっている。なお、巻取シャフト３は、筒状とするほか、シャッターカーテン４の上部端４ｃを連結するための棒状部材をドラム８ａ・８ｂ・８ｃに横架して構成されるものとしてもよい。
【００３１】
また、図１に示すごとく、支持シャフト６には、弾性部材１０が設けられる。本実施形態では、この弾性部材１０をコイルスプリングにて構成することとし、このコイルスプリングが、支持シャフト６の周囲を囲むように、支持シャフト６の軸方向に巻回配置されるようにしている。また、この弾性部材１０の左端部は、支持シャフト６に固定される一方、弾性部材１０の左端部は、ドラム８ｂに固定される。なお、弾性部材１０としては、コイルスプリングの他、ゼンマイスプリングを利用してもよい。
【００３２】
また、図１に示すごとく、弾性部材１０の巻方向は、シャッターカーテン４を巻上げる方向の回転付勢力（「スプリングトルク」ともいう）を巻取シャフト３に付与する方向としており、いわゆる、シャッターカーテン４が「上がり勝手」となる設定となっている。また、この回転付勢力は、シャッターカーテン４を巻上げる方向に巻取シャフト３を回転させるために、弾性部材１０により巻取シャフト３に付与されるトルクである。また、この回転付勢力は、シャッターカーテン４の巻下げ量が大きくなるにつれて増加するものである。このようにして、巻取シャフト３は弾性部材１０によって巻上方向（シャッターカーテン４を巻上げる回転方向）に回転付勢されるようになっている。
【００３３】
また、図１及び図２に示すごとく、シャッターカーテン４の最下部に配置される幅木４ａには、ロック装置２０が設けられている。このロック装置２０は、シャッター装置１の下枠９に設けられたロック受け３０に係合することにより、シャッターカーテン４の巻上げを規制するためのものである。そして、このロック装置２０は、図２に示すごとく、幅木４ａの裏側、即ち、シャッターカーテン４の室内側に設けられ、シャッターカーテン４の室内側に設けられた操作用部材２１にて操作されるようになっている。
【００３４】
次に、ロック装置２０を有するロック機構５０の構成について説明する。
図３（ａ）は、ロック装置２０が配置される箇所の縦断面図、図３（ｂ）は、ロック装置２０が配置される箇所を室内側から臨む正面図である。
この図３（ａ）（ｂ）に示すごとく、シャッターカーテン４の最下部に配置されるスラット４ｂには、幅木４ａが吊設されている。また、幅木４ａは、上下方向の縦壁部４ｍを有し、この縦壁部４ｍの上下中途部におけるる室外側には、板状の水切り板部４ｎが設けられている。また、幅木４ａの縦壁部４ｍの上部に、略門状断面を有する吊部２２が幅木４ａの幅方向に設けられている。この吊部２２は、幅木４ａの幅方向に長く形成されており、この吊部２２にて幅木４ａの室内側に設けられる操作用部材２１が吊設される。この操作用部材２１は、幅木４ａの幅方向に長い長尺の部材にて構成される。
【００３５】
また、図３（ａ）に示すごとく、操作用部材２１は、幅木４ａの縦壁部４ｍに対向して配置される縦壁部２１ａと、この縦壁部２１ａの上端部から室内方向に向かって延設される水平板部２１ｂと、この水平板部２１ｂから上方に向かって延設され、略Ｔ字状の断面を形成する吊設用係合部２１ｃとを有する構成としている。
【００３６】
また、図３（ａ）に示すごとく、水平板部２１ｂの室内側端部を、上下方向に延出した後に端部を室外側へと屈曲させることで、操作部２１ｓが形成されている。この操作部２１ｓにより、シャッターカーテン４の巻下げ操作、巻上げ操作をする際において、指などのかかりを良好にすることができるようになっている。
【００３７】
また、図４（ａ）に示すごとく、吊設用係合部２１ｃは、上下方向の縦板部２１ｄと、縦板部２１ｄの上部において室内外方向に延設される横板部２１ｅと、を有し、この縦板部２１ｄと横板部２１ｅによって、略Ｔ字状の断面が形成されることとしている。
一方、吊部２２には、略門状断面を有する収容部２２ａが形成されており、この収容部２２ａの下部開口部２２ｂの端縁部２２ｃ・２２ｃの間に、吊設用係合部２１ｃの縦板部２１ｄが挿通されるとともに、収容部２２ａ内に吊設用係合部２１ｃの横板部２１ｅが配置されるようになっている。そして、横板部２１ｅの左右端部を下部開口部２２ｂの端縁部２２ｃ・２２ｃにて下側から支持することで、操作用部材２１（吊設用係合部２１ｃ）が吊部２２に吊り下げられるようになっている。
【００３８】
また、図４（ａ）に示すごとく、吊部２２の収容部２２ａは、高さＨの内部寸法を有しており、図４（ｂ）に示すごとく、吊設用係合部２１ｃの横板部２１ｅが上方に移動できるようになっている。このようにして、操作用部材２１（吊設用係合部２１ｃ）が吊部２２に対して上下移動可能となる、即ち、操作用部材２１が幅木４ａに対して上下移動可能となっている。
【００３９】
また、図３（ａ）（ｂ）に示すごとく、操作用部材２１には、ロック装置２０が固定されている。このロック装置２０は、周知のワンタッチラッチにて構成されるものであり、ケース部２０ａが下方に移動して、動作ピン２０ｂがロック受け３０の先端部３１に衝突した際には、係合爪部２０ｃ・２０ｃが回動して、ロック受け３０の先端部３１を両側から挟み込んで、係合爪部２０ｃ・２０ｃとロック受け３０の先端部３１の施錠（ロック）が成立する一方、この施錠状態において、ケース部２０ａがさらに下方に移動され、動作ピン２０ｂがさらに押し込まれると、係合爪部２０ｃ・２０ｃが開かれて開錠されるとともに、内蔵したバネ（付図示）の付勢力によって動作ピン２０ｂが押し出されて、ロック受け３０の先端部３１を突き放すようにして、ケース部２０ａを上方へと移動させるべく構成されるものである。なお、ここで述べた機能を有するものであれば、本発明において利用するロック装置２０の具体的な構成は特に限定されるものではないが、例えば、タッチラッチ（製品型番ＴＬ−１９１：株式会社栃木屋カタログ参照）などを利用することができる。
【００４０】
また、図３（ａ）（ｂ）に示すごとく、ロック装置２０のケース部２０ａは、操作用部材２１に固定されており、これにより、操作用部材２１とロック装置２０とが一体として、幅木４ａに対して上下移動可能に構成されることとなっている。
【００４１】
次に、図３〜図７を用いてロック装置２０による施錠、開錠について説明する。
図３（ａ）（ｂ）に示すごとく、操作部２１ｓの引下げにより、シャッターカーテン４が巻下げられる過程においては、ロック装置２０の係合爪部２０ｃ・２０ｃが開かれた状態となっている。なお、操作部２１ｓの引下げの際には、図４（ａ）に示すごとく、吊設用係合部２１ｃの横板部２１ｅが、吊部２２の端縁部２２ｃ・２２ｃを引下げることで、操作用部材２１と幅木４ａが一体として下降されることとなっている。
【００４２】
次に、図３（ａ）（ｂ）に示すごとく、シャッターカーテン４がさらに巻下げられて、ロック装置２０の動作ピン２０ｂがロック受け３０の先端部３１に接触して押し込まれると、図５（ａ）（ｂ）に示すごとく、両係合爪部２０ｃ・２０ｃの下端が近づき合う方向へと回動し、両係合爪部２０ｃ・２０ｃによって、ロック受け３０の先端部３１が挟み込まれる。これより、ロック装置２０とロック受け３０が係合された状態となって、シャッターカーテン４が施錠された状態となる。
【００４３】
また、図６（ａ）は、同じく、ロック装置２０とロック受け３０が係合されて、シャッターカーテン４（幅木４ａ）の施錠がなされた状態を示しており、この状態から、図６（ｂ）に示すごとく、幅木４ａが室外側にて上方へ引き上げられようとしたとする。この場合、操作用部材２１がロック装置２０を介してロック受け３０に係合されているため、吊部２２の端縁部２２ｃ・２２ｃが、操作用部材２１の吊設用係合部２１ｃの横板部２１ｅに係合することで、吊部２２の上方への移動が規制されることになる。このようにして、シャッターカーテン４の施錠がされているときには、操作用部材２１（吊設用係合部２１ｃ）によって、幅木４ａ（吊部２２）の上方への移動が規制されることで、室外側からのシャッターカーテン４の上方への引き上げを防止することができる、つまりは、防犯上の観点からの施錠を実現することができる。
【００４４】
次に、図５（ａ）（ｂ）に示すシャッターカーテン４の施錠がなされた状態において、図７（ａ）（ｂ）に示すごとく、操作部２１ｓを指２５にて押下げて操作用部材２１を下方へ移動させると、ロック装置２０の動作ピン２０ｂ（図７（ｂ）参照）が、ロック受け３０の先端部３１によってさらに押し込まれ、両係合爪部２０ｃ・２０ｃの下端が離れ合う方向へと回動し、両係合爪部２０ｃ・２０ｃによるロック受け３０の先端部３１の挟み込みが解除される。さらに、ロック装置２０に内蔵されるバネ（付図示）によって、動作ピン２０ｂが押し出され、この反力がロック装置２０を上方へ移動させる力となって、ロック受け３０からロック装置２０が離間され図３に示す状態となる。このように、操作部２１ｓ（操作用部材２１）を指２５にて一度押下げて離すことにより（ワンプッシュ操作）、ロック装置２０とロック受け３０の係合が解除された状態となって、シャッターカーテン４の施錠を解除することができる。
【００４５】
なお、図６（ａ）に示すごとく、シャッターカーテン４の施錠がなされた状態において、幅木４ａの縦壁部４ｍの下端部４ｋは、シャッター装置の下枠９に設けた段部９ａに当接するようになっており、これにより、室外側での幅木４ａの押下げが規制され、幅木４ａの押下げに伴う操作用部材２１の押下げを規制できるようになっている。つまり、仮に、室外側での幅木４ａの押下げが可能であると、吊部２２が下方へと移動して吊設用係合部２１ｃが押下げられ、操作用部材２１が下方へと移動してロック装置２０の解錠がなされてしまうことになるが、本実施形態では、幅木４ａの押下げを段部９ａによって規制することで、このような室外側での幅木４ａの押下げによる解錠を防止できることになる。いうなれば、室外側からロック装置２０の解錠ができない構成となっているのである。
【００４６】
また、図６（ａ）に示すごとく、シャッターカーテン４の施錠がなされた状態においては、吊部２２の端縁部２２ｃ・２２ｃと、吊設用係合部２１ｃの横板部２１ｅの間には、クリアランスＣが確保されるようになっている。これにより、このクリアランスＣの範囲において、操作用部材２１の下方への移動が許容され、操作部２１ｓ（操作用部材２１）の押下げによる解錠ができることとしている。なお、このクリアランスＣの確保により操作用部材２１の移動を許容することが、本実施形態を実現する上で重要なポイントとなる。つまり、本実施形態では、室外側での幅木４ａの段部９ａでの押下げによる解錠防止という機能を備えつつ、室内側での操作用部材２１（ロック装置２０）の押下げによる解錠を実現するために、このクリアランスＣが設定されるものであって、単に、周知のワンタッチラッチを幅木４ａに設けただけのものではないのである。
【００４７】
以上のような構成により、シャッターカーテンの施錠、及び、解錠を行うことができる。そして、特に、解錠の操作においては、図７（ａ）（ｂ）に示すごとく、指２５によって操作部２１ｓを一度押下げて離す、つまりは、ワンプッシュ操作をするだけで、解錠を行うことができ、優れた操作性を実現することができる。
【００４８】
さらに、図８に示すごとく、掃き出し窓４０の設置箇所にシャッター装置１が配置される場合においては、床４１の位置まで幅木４ａが下がることになるが、本実施形態によれば、足４２によって操作用部材２１（操作部２１ｓ）（図７参照）を一度押下げて離す、つまりは、ワンプッシュ操作することにより、解錠を行うこともできる。このように、足４２による操作が可能となるので、解錠を行うためにかがんだり、しゃがんだりする必要がなくなり、優れた操作性を実現できるようになる。また、従来のような解錠操作のための摘み部材を設ける必要も無いため、摘み部材によって意匠性が損なわれるという問題も生じない。なお、このような足４２を用いた操作を想定し、足先での押下げを行いやすいように、図７に示す操作部２１ｓをより大きく構成することや、別部材を付設するなどの変更をしてもよい。
【００４９】
また、図８に示すごとく、施錠が解除された際には、図１にも示される弾性部材１０の回転付勢力によって巻取シャフト３が回転されるため、シャッターカーテン４の巻上げを自動的に実施することができる。これは、弾性部材１０によって、シャッターカーテン４を「上がり勝手」とする設定としているために可能となるものである。このように、本実施形態によれば、室内側において、操作用部材２１（操作部２１ｓ）（図７参照）を手の指や、足で一度押下げて離すワンプッシュ操作をするだけで、解錠操作、及び、巻上げ操作の両方を実施できることになる。なお、弾性部材１０の回転付勢力については、シャッターカーテン４を全て巻上げることができるような初期設定とすれば、ワンプッシュ操作をするだけで全開操作を完了することができ、巻上げ操作を極めて容易なものとすることができる。この他、弾性部材１０の回転付勢力について、シャッターカーテン４が半開状態で停止される初期設定とするなど、適宜設定が可能なものである。
【００５０】
以上のようにして、本発明を実施することができる。
即ち、図３及び図７に示すごとく、
シャッターカーテン４の幅木４ａに対して上下移動可能に設けられるロック装置２０と、
シャッター装置１の枠体（下枠９）に設けられ、前記ロック装置２０と係合するロック受け３０と、
を有するロック機構５０であって、
前記ロック装置２０と前記ロック受け３０の係合によりシャッターカーテン４の施錠がなされるとともに、
前記施錠がされている状態で、前記ロック装置２０を下方へと移動させる操作をすることで、前記ロック装置２０と前記ロック受け３０の係合が解除され、シャッターカーテン４の施錠が解除される、シャッター装置のロック機構５０とするものである。
【００５１】
この構成により、ロック装置２０の解錠は、前記ロック装置２０（操作用部材２１）を下方へと移動させるだけで行うことが可能となり、優れた操作性を実現することができる。
【００５２】
また、図３及び図７に示すごとく、前記ロック装置２０は、前記幅木４ａに対して上下移動可能な操作用部材２１に設けられ、前記操作用部材２１は、シャッターカーテン４の幅方向に長い長尺の部材にて構成される構成とするものである。
【００５３】
この構成により、シャッターカーテン４の幅方向の広い範囲において、操作用部材２１を押下げることで、ロック装置２０の解錠が可能となり、優れた操作性を実現することができる。
【００５４】
また、以上の構成において、図９（ａ）（ｂ）に示すごとく、ロック装置１２０をシャッター装置の枠体側（下枠９）に設け、ロック受け１３０を幅木４ａ側（操作用部材２１）に設けることとしてもよい。この場合においても、ロック受け１３０（操作用部材２１）を一度押下げて離すワンプッシュ操作によって、解錠を行うことができ、優れた操作性を実現することができる。
【００５５】
また、図３及び図７に示すごとく、前記ロック装置２０は、ワンタッチラッチにて構成されることとするものである。
【００５６】
これにより、ロック装置２０（操作用部材２１）を一度押下げて離すワンプッシュ操作によって、ロック装置２０の解錠を行うことができ、優れた操作性を実現することができる。
【００５７】
また、図１及び図８に示すごとく、前記ロック機構５０を備えるシャッター装置１とし、前記シャッターカーテン４を巻き取るための巻取シャフト３に対し、弾性部材１０にて前記シャッターカーテン４を巻き取る方向の回転付勢力が付与される構成とし、前記ロック機構５０による施錠が解除された際に、前記回転付勢力によって、前記シャッターカーテン４が巻上げられる構成とする、シャッター装置１とするものである。
【００５８】
この構成によれば、施錠が解除された際には、弾性部材１０の回転付勢力によって巻取シャフト３が回転されるため、シャッターカーテン４の巻上げを自動的に実施することができる。
【産業上の利用可能性】
【００５９】
本発明は、手動で昇降操作がなされるシャッターカーテンを具備するシャッター装置のほか、例えば、ロール網戸、ロールスクリーンなど、いわゆる巻取り軸を有する遮蔽装置のロック機構として、広く適用可能である。
【図面の簡単な説明】
【００６０】
【図１】ロック機構を備えるシャッター装置の一実施形態について説明する図。
【図２】シャッターカーテンの下部の構成について示す図。
【図３】（ａ）は、ロック機構の構成について示す縦断面図。（ｂ）は、ロック機構の構成について示す室内側から臨む正面図。
【図４】（ａ）は、吊部材に操作用部材が吊設される状態について示す図。（ｂ）は、吊部材に対し操作用部材が上下移動可能であることを説明する図。
【図５】（ａ）は、ロック機構による施錠時の状態について示す縦断面図。（ｂ）は、ロック機構による施錠時の状態について示す室内側から臨む正面図。
【図６】（ａ）は、ロック機構による施錠時での幅木と操作用部材の位置について説明する図。（ｂ）は、ロック機構による施錠時に幅木が押し上げられた状態について説明する図。
【図７】（ａ）は、ロック装置の解錠操作時の状態について示す縦断面図。（ｂ）は、ロック装置の解錠操作時の状態について示す室内側から臨む正面図。
【図８】掃き出し窓に設置されるシャッター装置について、足による解錠を行う例について示す図。
【図９】（ａ）は、ロック装置をシャッター装置の下枠側に配置した例について示す縦断面図。（ｂ）は、ロック装置をシャッター装置の下枠側に配置した例について示す室内側から臨む正面図。
【符号の説明】
【００６１】
１    シャッター装置
３    巻取シャフト
４    シャッターカーテン
４ａ    幅木
９    下枠
１０    弾性部材
２０    ロック装置
２１    操作用部材
２２    吊部材
２５    指
３０    ロック受け
５０    ロック機構
【図１】
2010144354.tif 000003
【図２】
2010144354.tif 000004
【図３】
2010144354.tif 000005
【図４】
2010144354.tif 000006
【図５】
2010144354.tif 000007
【図６】
2010144354.tif 000008
【図７】
2010144354.tif 000009
【図８】
2010144354.tif 000010
【図９】
2010144354.tif 000011